(57)【要約】【課題】異常要因が大量に発生している場合でも、全ての異常の種類を短時間で把握することができる監視制御盤を提供することを目的とする。【解決手段】監視制御盤または上記監視制御盤に接続されている各端末の状態を検出する状態検出手段と、異常内容を特定するエラーコード、または、上記エラーコードと異常機器を特定する番号である機器特定番号とを、表示器に表示する表示パターンを選択する選択スイッチと、上記状態検出手段が検出した状態に応じて、上記エラーコードと上記機器特定番号とを表示器に表示させる制御手段であって、異常が発生しているときに、上記選択スイッチを第１の時間入力することによって、エラーコードのみを表示させる制御手段とを有することを特徴とする監視制御盤である。【選択図】図４
2010237944.tif 000002
【特許請求の範囲】
【請求項１】
監視制御盤または上記監視制御盤に接続されている各端末の状態を検出する状態検出手段と；
異常内容を特定するエラーコード、または、上記エラーコードと異常機器を特定する番号である機器特定番号とを、表示器に表示する表示パターンを選択する選択スイッチと；
上記状態検出手段が検出した状態に応じて、上記エラーコードと上記機器特定番号とを表示器に表示させる制御手段であって、異常が発生しているときに、上記選択スイッチを第１の時間入力することによって、エラーコードのみを表示させる制御手段と；
を有することを特徴とする監視制御盤。
【請求項２】
監視制御盤または上記監視制御盤に接続されている各端末の状態を検出する状態検出手段と；
異常内容を特定するエラーコード、または、上記エラーコードと異常機器を特定する番号である機器特定番号とを、表示器に表示する表示パターンを選択する選択スイッチと；
上記状態検出手段が検出した状態に応じて、上記エラーコードと上記機器特定番号とを表示器に表示させる制御手段であって、異常が発生しているときに、上記選択スイッチを第２の時間入力することによって、同じエラーコードをまとめた代表エラーコードを１つずつ表示させる制御手段と；
を有することを特徴とする監視制御盤。
【発明の詳細な説明】
【技術分野】
【０００１】
本発明は、火災検知器等の端末機器が接続されている監視制御盤に関する。
【背景技術】
【０００２】
従来の火災報知設備において、表示部に、３桁７セグメントの表示器（文字表示手段）が設けられ、この表示器にエラーコード等が表示される。１地区の地区窓のＬＥＤが断線表示になった場合、エラーコード「Ｅ０１」を表示し、短絡表示になれば、エラーコード「Ｅ０２」を表示する（たとえば、特許文献１参照）。また、断線、短絡時には、地区窓を点滅表示し、表示器におけるエラーコード表示に加えて、警報ブザーから注意音が発せられる。
【先行技術文献】
【特許文献】
【０００３】
【特許文献１】特開２００１−１４３１７９号公報
【発明の概要】
【発明が解決しようとする課題】
【０００４】
上記従来例では、同時に発生した端末異常の種類が多くなると、別に設ける表示送りスイッチの順送り操作によって、全てのエラーコードと機器特定番号とを表示し、確認するので、全てのエラーコードと機器特定番号とを確認するのに時間がかかるという問題がある。
【０００５】
本発明は、異常要因が大量に発生している場合でも、全ての異常の種類を短時間で把握することができる監視制御盤を提供することを目的とする。
【課題を解決するための手段】
【０００６】
本発明は、監視制御盤または上記監視制御盤に接続されている各端末の状態を検出する状態検出手段と、異常内容を特定するエラーコード、または、上記エラーコードと異常機器を特定する番号である機器特定番号とを、表示器に表示する表示パターンを選択する選択スイッチと、上記状態検出手段が検出した状態に応じて、上記エラーコードと上記機器特定番号とを表示器に表示させる制御手段であって、異常が発生しているときに、上記選択スイッチを第１の時間入力することによって、エラーコードのみを表示させる制御手段とを有することを特徴とする監視制御盤である。
【発明の効果】
【０００７】
本発明によれば、スイッチ操作によって、エラーコードのみが順送りされるので、全ての異常の種類を短時間で視認でき、したがって、異常要因が大量に発生している場合であっても、全ての異常の種類を短時間で把握することができるという効果を奏する。
【図面の簡単な説明】
【０００８】
【図１】本発明の実施例１である監視制御盤１００の主要構成を示す図である。
【図２】スイッチ操作手段４０におけるスイッチ、表示灯等を示す概要図である。
【図３】異常警報の一覧を示す図である。
【図４】上記実施例の動作を示すフローチャートである。
【図５】エラーコードを表示する場合における表示パターン１〜３を示す図である。
【発明を実施するための形態】
【０００９】
発明を実施するための形態は、以下の実施例である。
【実施例１】
【００１０】
図１は、本発明の実施例１である監視制御盤１００の主要構成を示す図である。
【００１１】
監視制御番１００は、たとえば、自動火災報知設備の火災受信機とほぼ同様な機能を有し、吸引式の煙検知器が接続されている煙警報盤であり、状態検出手段１０と、メイン制御手段２０と、７セグメント表示器３０と、スイッチ操作手段４０と、選択スイッチ４１とを有する。
【００１２】
状態検出手段１０は、センサ等の出力信号を処理し、センサなどに異常が生じていれば、異常検出する。なお、状態検出手段１０を、メイン制御手段２０に設けるようにしてもよい。
【００１３】
メイン制御手段２０は、状態検出手段１０が検出した状態の種類に応じた異常警報を、７セグメント表示器３０に表示させる。また、煙検知器から火災検知信号を受信すると、警報音を鳴動させる。
【００１４】
スイッチ操作手段４０は、交流電源灯（緑）、スイッチ注意灯（赤）、異常代表灯（黄）４、感知器の煙濃度による環境異常代表灯（赤）と注意代表灯（赤）と火災代表灯（赤）、７セグメント表示器３０、予備電源試験スイッチ、火災／異常試験スイッチ、火災／異常信号遮断スイッチ等を有する。ここで、括弧内は、各表示灯の表示色の一例を示す。また、選択スイッチ４１を備えている。この選択スイッチ４１は、監視制御盤１００の表示や警報機能が正常に動作するかを確認する火災試験の回線選択スイッチ等と兼用してもよい。
【００１５】
７セグメント表示器３０は、異常警報を構成するエラーコード、またはエラーコード＋機器特定番号を表示する。
【００１６】
７セグメント表示器３０に異常警報が表示されているときに、所定の方法により選択スイッチ４１を操作することによって、エラーコード、機器特定番号を表示する表示パターンを選択する。実施例１では、上記表示パターンは、異常が発生しているときに、全ての異常内容を通常よりも短時間で確認するための表示パターン１、表示パターン２、表示パターン３であり、選択スイッチ４１を操作することによって、これらのうちから、１つの表示パターンを選択する。
【００１７】
図２は、スイッチ操作手段４０におけるスイッチ、表示灯等を示す概要図である。
【００１８】
スイッチ操作手段４０は、異常代表灯４と、７セグメント表示器３０と、選択スイッチ４１とを有する。なお、図２に示すスイッチ操作手段４０には、選択スイッチ４１が含まれているが、選択スイッチ４１を、スイッチ操作手段４０の外に設けるようにしてもよい。
【００１９】
図３は、異常警報の一覧を示す図である。
【００２０】
図３には、異常警報と警報項目と警報内容とを示してある。上記異常警報は、たとえば、Ｅ０、Ｅ１、Ｅ４、Ｅ６、Ｅ８は、エラーコードのみ、または、Ｅ０、Ｅ２、Ｅ３、Ｅ５、Ｅ７、Ｅ９は、エラーコード＋機器特定番号で表示される。エラーコードは、Ｅと数字とによって構成されている。Ｅは異常であることを示し、続く数字によって、異常の内容を示している。たとえば、エラーコードＥ０は、予備電源が異常であることを示し、エラーコードＥ１は、回路電圧が異常であることを示す。エラーコードＥ２は、ヒューズ断線であることを示し、外部電源用ヒューズ（ＦＩ）が断線であれば、Ｅ２の後に、機器特定番号として００を付す一方で、感知器電源用ヒューズ（ＦＳ１〜３）が断線であれば、Ｅ２の後に、機器特定番号（回線番号）として０１〜２０を付す。
【００２１】
次に、上記実施例の動作について説明する。
【００２２】
図４は、上記実施例の動作を示すフローチャートである。
【００２３】
Ｓ１で、異常が発生していれば、１つ目の異常警報のエラーコード（１回目）を表示し、Ｓ２で、選択スイッチ４１を操作したかどうかを判断し、選択スイッチ４１を操作しなければ、Ｓ３で、１つ目の異常警報のエラーコード（２回目）または機器特定番号表示する。Ｓ４で、次の２つ目の異常警報のエラーコード（１回目）を表示する。次のエラーコードがなければ、つまり、次に表示すべき異常が無ければ、１つ目の異常警報のエラーコード（１回目）表示に戻る。Ｓ５で、全ての異常要因が回復したかどうかを判断し、全ての異常要因が回復していれば、終了して、次に異常要因が発生するまで待機する。異常要因が１つでも回復していなければ、Ｓ２に戻る。
【００２４】
Ｓ２で、選択スイッチ４１が操作されたと判断し、しかも、Ｓ６で、選択スイッチ４１を長押ししていないと判断される（つまり、短押ししていると判断される）と、Ｓ７で、次の２つ目の異常警報のエラーコード（１回目）を表示する。すなわち、表示パターン１、または表示パターン２を表示する。次のエラーコードがなければ、１つ目の異常警報のエラーコード（１回目）に戻る。なお、表示パターン１、表示パターン２については、後述する。
【００２５】
Ｓ２で選択スイッでチ４１が操作されたと判断し、しかも、Ｓ６で選択スイッチ４１を長押ししていると判断されると、Ｓ８で、次の代表エラーコードを表示する。つまり、表示パターン３で表示する。次の代表エラーコードがなければ、１つ目の異常警報のエラーコード（１回目）表示に戻り、選択スイッチ４１の操作を検出する。なお、表示パターン３については、後述する。
【００２６】
次に、表示パターンについて説明する。
【００２７】
図５は、エラーコードを表示する場合における表示パターン１〜３を示す図である。
【００２８】
７セグメント表示器３０を使用して、エラーコードをデジタル個別表示する例について説明する。なお、機器特定番号を表示せずにエラーコードのみを表示する場合と、エラーコードと機器特定番号とを順に表示する場合とがある。
【００２９】
図５（１）は、７セグメント表示器３０の点滅周期を示す図であり、７セグメント表示器３０がＯＮであるときに、点灯し、ＯＦＦであるときに、消灯し、この周期を、たとえば１秒ごとに繰り返す。
【００３０】
図５（２）は、通常表示状態を示す図であり、選択スイッチ４１を押さない場合における７セグメント表示器３０の表示例を示す図である。
【００３１】
この例では、エラーコード「Ｅ１」が２回点滅し、エラーコード「Ｅ２」が１回点滅し、機器特定番号「０１」が１回点滅し、エラーコード「Ｅ２」が１回点滅する。つまり、「Ｅ１」→消灯→「Ｅ１」→消灯→「Ｅ２」→消灯→「０１」→消灯→「Ｅ２」→消灯のように表示する。エラーコード「Ｅ１」は、図３に示すように、回路電圧異常警報を示す異常警報であり、特定の機器を表示する必要がないので、機器特定番号を表示せず、エラーコード「Ｅ１」を続けて２回表示する。エラーコード「Ｅ２」は、図３に示すように、ヒューズ断線警報を示す異常警報であり、図５（２）に示す例では、回線番号０１の回線におけるヒューズが断線しているので、機器特定番号「０１」を表示する。図５（２）に示す例は、従来例と同じ動作であり、この場合、全てのエラーコードと機器特定番号とを視認するのに時間がかかるという問題がある。
【００３２】
図５（３）は、表示パターン１の例を示す図である。
【００３３】
この例は、エラーコード「Ｅ１」が表示されているときに、選択スイッチ４１を１回だけ短押しした場合の例である。選択スイッチ４１を押すと、表示されていたエラーコード「Ｅ１」の代わりに次のエラーコード「Ｅ２」が表示され、２つ目の点灯タイミングまで、表示され、その後は、図５（２）に示す通常表示に戻る。つまり、「Ｅ１」→「Ｅ２」→消灯→「０１」→消灯→「０２」→消灯のように表示する。
【００３４】
表示パターン１では、現在表示されている内容の次のエラーコードまたは次に表示されるべき機器特定番号を、選択スイッチ４１を押した直後に視認できるので、次のエラーコードまたは機器特定番号を視認するまでの時間が通常表示よりも短い。
【００３５】
図５（４）は、表示パターン１の別の例を示す図である。
【００３６】
この例は、エラーコード「Ｅ１」の点灯が終了し、７セグメント表示器３０が表示していない期間に、選択スイッチ４１を１回だけ短押しした場合の例である。選択スイッチ４１を押すと、次に表示すべきエラーコード「Ｅ２」が表示され、２つ目の点灯タイミングの終了まで、表示され、その後は、図５（２）に示す通常表示に戻る。図５（４）に示す表示パターン１では、現在表示されている内容の次のエラーコードまたは機器特定番号を、選択スイッチ４１を押した直後に視認できるので、次のエラーコードまたは機器特定番号を視認するまでの時間が通常表示よりも短い。
【００３７】
図５（５）は、表示パターン２の例を示す図である。
【００３８】
この例は、エラーコード「Ｅ１」の点灯が終了し、７セグメント表示器３０に表示されていない期間に、選択スイッチ４１を３回続けて、短押しした場合の例である。選択スイッチ４１を３回短押しすると、次に表示すべきエラーコード「Ｅ２」、「Ｅ２」、「Ｅ３」が、２つ目の点灯タイミングの終了まで、順に、短時間、表示され、その後は、図５（２）に示す通常表示に戻る。つまり、「Ｅ１」→消灯→「Ｅ２」→「Ｅ２」→「Ｅ３」→消灯→「Ｅ３」→消灯→「Ｅ４」→消灯→「Ｅ４」のように表示する。
【００３９】
エラーコード「Ｅ２」が２回連続しているのは、エラーコード「Ｅ２」に対応するヒューズ断線が２箇所発生していることを示す。
【００４０】
図５（５）に示す表示パターン２では、現在表示されている内容の次に表示されるべきエラーコードのみを、直ちに視認でき、しかも短押しした回数分を順送りしてまとめて視認できるので、次のエラーコードを視認するまでの時間が通常表示よりも十分に短い。  
【００４１】
つまり、表示パターン２は、異常が発生しているときに、選択スイッチを第１の時間（連続した短押しの時間）入力することによって、エラーコードのみを表示させるパターンである。
【００４２】
図５（６）は、表示パターン３の例を示す図である。
【００４３】
この例は、エラーコード「Ｅ１」の点灯が終了し、７セグメント表示器３０が表示していない期間に、選択スイッチ４１を長押しした場合の例である。長押しと判断されるのは、たとえば、２００ｍｓ以上継続して押した場合である。選択スイッチ４１を長押しすると、次に表示すべき代表のエラーコード「Ｅ２」、「Ｅ３」、「Ｅ４」、「Ｅ５」が、順に、表示され、その後は、図５（２）に示す通常表示に戻る。つまり、「Ｅ１」→消灯→「Ｅ２」→「Ｅ３」→「Ｅ４」→「Ｅ５」→消灯のように表示する。
【００４４】
表示パターン３においては、代表のエラーコードのみを表示する。
【００４５】
図５（６）に示す表示パターン３では、現在表示されている内容の次以降の表示内容が、代表のエラーコードだけ表示され、また、消灯せずに連続的に表示されるので、次以降の代表エラーコードを視認する時間がパターン１やパターン２より格段に短い。なお、同じエラーコードが連続している場合、その代表エラーコードを、１回だけ表示する。このように、同じエラーコードが連続している場合、１回だけ表示するエラーコードを、代表エラーコードという。つまり、異常が発生しているときに、選択スイッチ４１を第２の時間（長押しの時間）入力することによって、同じエラーコードをまとめた代表エラーコードのみを１つずつ順に表示させる。このようにすることによって、全ての異常をさらに短時間で把握することができる。また、代表エラーコードは、図５（１）の点滅周期に合わせて表示させてもよい。
【００４６】
機器特定番号の点灯時または消灯時に選択スイッチ４１を操作しても、同様の表示動作となる。
【００４７】
長押しと判断される基準の時間を、２００ｍｓ以外の時間に設定するようにしてもよい。
【００４８】
自動火災報知設備の火災受信機や防犯用の受信機等に用いてもよい。
【００４９】
なお、状態検出手段１０は、監視制御盤または上記監視制御盤に接続されている各端末の状態を検出する状態検出手段の例である。
【００５０】
選択スイッチ４１は、異常内容を特定するエラーコード、または、上記エラーコードと異常機器を特定する番号である機器特定番号とを、表示器に表示する表示パターンを選択する選択スイッチの例である。
【００５１】
メイン制御手段２０は、上記状態検出手段が検出した状態に応じて、上記エラーコードと上記機器特定番号とを表示器に表示させる制御手段であって、異常が発生しているときに、上記選択スイッチを第１の時間入力することによって、エラーコードのみを表示させる制御手段の例である。
【００５２】
また、メイン制御手段２０は、上記状態検出手段が検出した状態に応じて、上記エラーコードと上記機器特定番号とを表示器に表示させる制御手段であって、異常が発生しているときに、上記選択スイッチを第２の時間入力することによって、同じエラーコードをまとめた代表エラーコードのみを１つずつ表示させる制御手段の例である。
【符号の説明】
【００５３】
１００…監視制御盤、１０…状態検出手段、２０…メイン制御手段、
３０…７セグメント表示器、４０…スイッチ操作手段、４１…選択スイッチ。
【図１】
2010237944.tif 000003
【図２】
2010237944.tif 000004
【図３】
2010237944.tif 000005
【図４】
2010237944.tif 000006
【図５】
2010237944.tif 000007